【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
基地局が、複数のコンポーネントキャリア上で共通ハイブリッド自動再送要求（ＨＡＲＱ）プロセス空間を共有するために、前記基地局による通信のために割り当てられた複数のコンポーネントキャリアのうちの２つまたはそれ以上の無認可スペクトルコンポーネントキャリアをグループ化することと、
前記基地局が、前記２つまたはそれ以上の無認可スペクトルコンポーネントキャリアの各々のクリアチャネルアクセス（ＣＣＡ）検査を実行することと、
前記基地局が、前記基地局によってサービスされる１つまたは複数のユーザ機器（ＵＥ）にＨＡＲＱプロセス構成を送信することと、ここにおいて、前記ＨＡＲＱプロセス構成は、少なくとも、前記２つまたはそれ以上の無認可スペクトルコンポーネントキャリアの識別情報を含む、
前記基地局が、前記ＣＣＡ検査をクリアした前記２つまたはそれ以上の無認可スペクトルコンポーネントキャリアのうちの１つまたは複数上で同じダウンリンクデータを送信することと、
前記送信することに応答して、前記基地局が、前記共通ＨＡＲＱプロセス空間に関連するＨＡＲＱプロセス応答情報を受信することと
を備える、ワイヤレス通信の方法。
【請求項２】
前記ＨＡＲＱプロセス応答情報が、前記ダウンリンクデータが送信された前記２つまたはそれ以上の無認可スペクトルコンポーネントキャリアのうちの前記１つまたは複数上で受信される、請求項１に記載の方法。
【請求項３】
前記基地局が、前記ＨＡＲＱプロセス応答情報への応答を生成することと、
前記基地局が、前記２つまたはそれ以上の無認可スペクトルコンポーネントキャリアを使用して前記応答を送信することと
をさらに含む、請求項１に記載の方法。
【請求項４】
前記送信することは、
前記基地局が、前記２つまたはそれ以上の無認可スペクトルコンポーネントキャリアの各々の後続のＣＣＡ検査を実行することと、
前記基地局が、前記後続のＣＣＡ検査をクリアした前記２つまたはそれ以上の無認可スペクトルコンポーネントキャリアのうちの１つまたは複数を使用して前記応答を送信することと
を含む、請求項３に記載の方法。
【請求項５】
前記ＨＡＲＱプロセス構成は、前記１つまたは複数のＵＥが前記ダウンリンクデータを受信するために前記２つまたはそれ以上の無認可スペクトルコンポーネントキャリアにアクセスするための優先度シーケンスをさらに含む、
請求項１に記載の方法。
【請求項６】
全ＨＡＲＱプロセス空間を、前記複数のコンポーネントキャリアの各々のためのプライベートＨＡＲＱプロセス空間と、前記２つまたはそれ以上の無認可スペクトルコンポーネントキャリアによって共有される前記共通ＨＡＲＱプロセス空間とに分割すること
をさらに含む、請求項１に記載の方法。
【請求項７】
前記共通ＨＡＲＱプロセス空間が複数の共通ＨＡＲＱプロセス空間を含み、ここにおいて、前記複数のコンポーネントキャリアの各々が前記複数の共通ＨＡＲＱプロセス空間のうちの１つまたは複数に割り当てられる、請求項６に記載の方法。
【請求項８】
ユーザ機器（ＵＥ）においてサービング基地局から、複数のコンポーネントキャリア上で共通ハイブリッド自動再送要求（ＨＡＲＱ）プロセス空間を共有するためにグループ化された、前記サービング基地局との通信のために割り当てられた複数のコンポーネントキャリアのうちの２つまたはそれ以上の無認可スペクトルコンポーネントキャリアの識別情報を受信することと、
前記ＵＥが、前記識別情報の前記２つまたはそれ以上の無認可スペクトルコンポーネントキャリアのうちの少なくとも１つ上でダウンリンクデータの受信を検出することと、
前記検出することに応答して、前記ＵＥが前記サービング基地局に、前記２つまたはそれ以上の無認可スペクトルコンポーネントキャリアのうちの少なくとも１つを使用して、前記共通ＨＡＲＱプロセス空間に関連するＨＡＲＱプロセス応答情報を送信することと
を備える、ワイヤレス通信の方法。
【請求項９】
前記ＨＡＲＱプロセス応答情報が、前記ダウンリンクデータの受信についての肯定応答、または前記ダウンリンクデータの失敗した受信についての否定応答のうちの１つを含む、請求項８に記載の方法。
【請求項１０】
前記送信することは、
前記ＵＥが、前記２つまたはそれ以上の無認可スペクトルコンポーネントキャリアの各々のクリアチャネルアクセス（ＣＣＡ）検査を実行することと、
前記ＵＥが、前記ＣＣＡ検査をクリアした前記２つまたはそれ以上の無認可スペクトルコンポーネントキャリアのうちの１つまたは複数上で前記ＨＡＲＱプロセス応答情報を送信することと
を含む、請求項８に記載の方法。
【請求項１１】
前記ＵＥにおいて前記サービング基地局から、前記ＵＥが前記ダウンリンクデータの受信を検出するために前記２つまたはそれ以上の無認可スペクトルコンポーネントキャリアにアクセスするための優先度シーケンスを受信することをさらに含み、ここにおいて、受信を前記検出することが、前記ダウンリンクデータを検出するために前記優先度シーケンスに従って前記２つまたはそれ以上の無認可スペクトルコンポーネントキャリアのうちの前記少なくとも１つにアクセスすることを含む、
請求項８に記載の方法。
【請求項１２】
前記検出することの間に前記２つまたはそれ以上の無認可スペクトルコンポーネントキャリア上で受信されたデータをソフト合成することによって前記ダウンリンクデータを識別すること
をさらに含む、請求項８に記載の方法。
【請求項１３】
ワイヤレス通信のために構成された装置であって、
基地局が、複数のコンポーネントキャリア上で共通ハイブリッド自動再送要求（ＨＡＲＱ）プロセス空間を共有するために、前記基地局による通信のために割り当てられた複数のコンポーネントキャリアのうちの２つまたはそれ以上の無認可スペクトルコンポーネントキャリアをグループ化するための手段と、
前記基地局が、前記２つまたはそれ以上の無認可スペクトルコンポーネントキャリアの各々のクリアチャネルアクセス（ＣＣＡ）検査を実行するための手段と、
前記基地局が、前記基地局によってサービスされる１つまたは複数のユーザ機器（ＵＥ）にＨＡＲＱプロセス構成を送信するための手段と、ここにおいて、前記ＨＡＲＱプロセス構成は、少なくとも、前記２つまたはそれ以上の無認可スペクトルコンポーネントキャリアの識別情報を含む、
前記基地局が、前記ＣＣＡ検査をクリアした前記２つまたはそれ以上の無認可スペクトルコンポーネントキャリアのうちの１つまたは複数上で同じダウンリンクデータを送信するための手段と、
送信するための前記手段に応答して、前記基地局が、前記共通ＨＡＲＱプロセス空間に関連するＨＡＲＱプロセス応答情報を受信するための手段と
を備える、装置。
【請求項１４】
ワイヤレス通信のために構成された装置であって、
ユーザ機器（ＵＥ）においてサービング基地局から、複数のコンポーネントキャリア上で共通ハイブリッド自動再送要求（ＨＡＲＱ）プロセス空間を共有するためにグループ化された、前記サービング基地局との通信のために割り当てられた複数のコンポーネントキャリアのうちの２つまたはそれ以上の無認可スペクトルコンポーネントキャリアの識別情報を受信するための手段と、
前記ＵＥが、前記識別情報の前記２つまたはそれ以上の無認可スペクトルコンポーネントキャリアのうちの少なくとも１つ上でダウンリンクデータの受信を検出するための手段と、
検出するための前記手段に応答して、前記ＵＥが前記サービング基地局に、前記２つまたはそれ以上の無認可スペクトルコンポーネントキャリアのうちの少なくとも１つを使用して、前記共通ＨＡＲＱプロセス空間に関連するＨＡＲＱプロセス応答情報を送信するための手段と
を備える、装置。
【請求項１５】
プログラムコードを記録したコンピュータ可読媒体であって、
実行されるとき、コンピュータに請求項１から７または８から１２のうちのいずれかに記載の方法を行わせるためのプログラムコードを備える、コンピュータ可読媒体。
【手続補正２】
【補正対象書類名】明細書
【補正対象項目名】００７９
【補正方法】変更
【補正の内容】
【００７９】
[0087]本開示についての以上の説明は、いかなる当業者も本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
基地局が、共通ハイブリッド自動再送要求（ＨＡＲＱ）プロセス空間を共有するために、前記基地局による通信のために割り当てられた複数のコンポーネントキャリアのうちの２つまたはそれ以上の無認可スペクトルコンポーネントキャリアをグループ化することと、
前記基地局が、前記２つまたはそれ以上の無認可スペクトルコンポーネントキャリアの各々のクリアチャネルアクセス（ＣＣＡ）検査を実行することと、
前記基地局が、前記ＣＣＡ検査をクリアした前記２つまたはそれ以上の無認可スペクトルコンポーネントキャリアのうちの１つまたは複数上でダウンリンクデータを送信することと、
前記送信することに応答して、前記基地局が、前記共通ＨＡＲＱプロセス空間に関連するＨＡＲＱプロセス応答情報を受信することと
を備える、ワイヤレス通信の方法。
［Ｃ２］
前記ＨＡＲＱプロセス応答情報が、前記ダウンリンクデータが送信された前記２つまたはそれ以上の無認可スペクトルコンポーネントキャリアのうちの前記１つまたは複数上で受信される、Ｃ１に記載の方法。
［Ｃ３］
前記基地局が、前記ＨＡＲＱプロセス応答情報への応答を生成することと、
前記基地局が、前記２つまたはそれ以上の無認可スペクトルコンポーネントキャリアを使用して前記応答を送信することと
をさらに含む、Ｃ１に記載の方法。
［Ｃ４］
前記応答が、前記ダウンリンクデータの再送信または新しいダウンリンクデータの新しい送信のうちの１つを含む、Ｃ３に記載の方法。
［Ｃ５］
前記送信することは、
前記基地局が、前記２つまたはそれ以上の無認可スペクトルコンポーネントキャリアの各々の後続のＣＣＡ検査を実行することと、
前記基地局が、前記後続のＣＣＡ検査をクリアした前記２つまたはそれ以上の無認可スペクトルコンポーネントキャリアのうちの１つまたは複数を使用して前記応答を送信することと
を含む、Ｃ３に記載の方法。
［Ｃ６］
前記基地局が、前記基地局によってサービスされる１つまたは複数のユーザ機器（ＵＥ）にＨＡＲＱプロセス構成を送信することをさらに含み、ここにおいて、前記ＨＡＲＱプロセス構成は、少なくとも、前記２つまたはそれ以上の無認可スペクトルコンポーネントキャリアの識別情報と、前記１つまたは複数のＵＥが前記ダウンリンクデータを受信するために前記２つまたはそれ以上の無認可スペクトルコンポーネントキャリアにアクセスするための優先度シーケンスとを含む、
Ｃ１に記載の方法。
［Ｃ７］
全ＨＡＲＱプロセス空間を、前記複数のコンポーネントキャリアの各々のためのプライベートＨＡＲＱプロセス空間と、前記２つまたはそれ以上の無認可スペクトルコンポーネントキャリアによって共有される前記共通ＨＡＲＱプロセス空間とに分割すること
をさらに含む、Ｃ１に記載の方法。
［Ｃ８］
前記共通ＨＡＲＱプロセス空間が複数の共通ＨＡＲＱプロセス空間を含み、ここにおいて、前記複数のコンポーネントキャリアの各々が前記複数の共通ＨＡＲＱプロセス空間のうちの１つまたは複数に割り当てられる、Ｃ７に記載の方法。
［Ｃ９］
ユーザ機器（ＵＥ）においてサービング基地局から、共通ハイブリッド自動再送要求（ＨＡＲＱ）プロセス空間を共有するためにグループ化された、前記サービング基地局との通信のために割り当てられた複数のコンポーネントキャリアのうちの２つまたはそれ以上の無認可スペクトルコンポーネントキャリアの識別情報を受信することと、
前記ＵＥが、前記識別情報の前記２つまたはそれ以上の無認可スペクトルコンポーネントキャリアのうちの少なくとも１つ上でダウンリンクデータの受信を検出することと、
前記検出することに応答して、前記ＵＥが前記サービング基地局に、前記２つまたはそれ以上の無認可スペクトルコンポーネントキャリアのうちの少なくとも１つを使用して、前記共通ＨＡＲＱプロセス空間に関連するＨＡＲＱプロセス応答情報を送信することと
を備える、ワイヤレス通信の方法。
［Ｃ１０］
前記ＨＡＲＱプロセス応答情報が、前記ダウンリンクデータの受信についての肯定応答、または前記ダウンリンクデータの失敗した受信についての否定応答のうちの１つを含む、Ｃ９に記載の方法。
［Ｃ１１］
前記送信することは、
前記ＵＥが、前記２つまたはそれ以上の無認可スペクトルコンポーネントキャリアの各々のクリアチャネルアクセス（ＣＣＡ）検査を実行することと、
前記ＵＥが、前記ＣＣＡ検査をクリアした前記２つまたはそれ以上の無認可スペクトルコンポーネントキャリアのうちの１つまたは複数上で前記ＨＡＲＱプロセス応答情報を送信することと
を含む、Ｃ９に記載の方法。
［Ｃ１２］
前記ＵＥにおいて前記サービング基地局から、前記ＵＥが前記ダウンリンクデータの受信を検出するために前記２つまたはそれ以上の無認可スペクトルコンポーネントキャリアにアクセスするための優先度シーケンスを受信することをさらに含み、ここにおいて、受信を前記検出することが、前記ダウンリンクデータを検出するために前記優先度シーケンスに従って前記２つまたはそれ以上の無認可スペクトルコンポーネントキャリアのうちの前記少なくとも１つにアクセスすることを含む、
Ｃ９に記載の方法。
［Ｃ１３］
前記検出することの間に前記２つまたはそれ以上の無認可スペクトルコンポーネントキャリア上で受信されたデータをソフト合成することによって前記ダウンリンクデータを識別すること
をさらに含む、Ｃ９に記載の方法。
［Ｃ１４］
ユーザ機器（ＵＥ）においてサービング基地局から、共通ハイブリッド自動再送要求（ＨＡＲＱ）プロセス空間を共有するためにグループ化された、前記サービング基地局との通信のために割り当てられた複数のコンポーネントキャリアのうちの２つまたはそれ以上の無認可スペクトルコンポーネントキャリアの識別情報を受信することと、
前記ＵＥが、前記２つまたはそれ以上の無認可スペクトルコンポーネントキャリアの各々のクリアチャネルアクセス（ＣＣＡ）検査を実行することと、
前記ＵＥが、前記ＣＣＡ検査をクリアした前記２つまたはそれ以上の無認可スペクトルコンポーネントキャリアのうちの１つまたは複数上でアップリンクデータを送信することと、
前記送信することに応答して、前記ＵＥが、前記共通ＨＡＲＱプロセス空間に関連するＨＡＲＱプロセス応答情報を受信することと
を備える、ワイヤレス通信の方法。
［Ｃ１５］
前記ＨＡＲＱプロセス応答情報が、前記アップリンクデータが送信された前記２つまたはそれ以上の無認可スペクトルコンポーネントキャリアのうちの前記１つまたは複数上で受信される、Ｃ１４に記載の方法。
［Ｃ１６］
前記ＵＥが、前記ＨＡＲＱプロセス応答情報への応答を生成することと、
前記ＵＥが前記サービング基地局に、前記２つまたはそれ以上の無認可スペクトルコンポーネントキャリアを使用して前記応答を送信することと
をさらに含む、Ｃ１４に記載の方法。
［Ｃ１７］
前記応答が、前記アップリンクデータの再送信または新しいアップリンクデータの新しい送信のうちの１つを含む、Ｃ１６に記載の方法。
［Ｃ１８］
前記応答が肯定応答情報とチャネル品質情報とを含む、Ｃ１６に記載の方法。
［Ｃ１９］
前記応答を前記送信することは、
前記ＵＥが、前記２つまたはそれ以上の無認可スペクトルコンポーネントキャリアの各々の後続のＣＣＡ検査を実行することと、
前記ＵＥが、前記後続のＣＣＡ検査をクリアした前記２つまたはそれ以上の無認可スペクトルコンポーネントキャリアのうちの１つまたは複数を使用して前記応答を送信することと
を含む、Ｃ１６に記載の方法。
［Ｃ２０］
基地局が、共通ハイブリッド自動再送要求（ＨＡＲＱ）プロセス空間を共有するために、前記基地局による通信のために割り当てられた複数のコンポーネントキャリアのうちの２つまたはそれ以上の無認可スペクトルコンポーネントキャリアをグループ化することと、
前記基地局が、前記２つまたはそれ以上の無認可スペクトルコンポーネントキャリアのうちの少なくとも１つ上でユーザ機器（ＵＥ）からのアップリンクデータの受信を検出することと、
前記検出することに応答して、前記基地局が前記ＵＥに、前記共通ＨＡＲＱプロセス空間に関連するＨＡＲＱプロセス応答情報を送信することと、ここにおいて、前記ＨＡＲＱプロセス応答情報は、前記アップリンクデータ受信がそれの上で検出された前記２つまたはそれ以上の無認可スペクトルコンポーネントキャリアのうちの少なくとも１つを使用して送信される、
を備える、ワイヤレス通信の方法。
［Ｃ２１］
前記ＨＡＲＱプロセス応答情報が、前記アップリンクデータの受信についての肯定応答、または前記アップリンクデータの失敗した受信についての否定応答のうちの１つを含む、Ｃ２０に記載の方法。
［Ｃ２２］
前記ＨＡＲＱプロセス応答情報を前記送信することは、
前記基地局が、前記２つまたはそれ以上の無認可スペクトルコンポーネントキャリアの各々のクリアチャネルアクセス（ＣＣＡ）検査を実行することと、
前記基地局が、前記ＣＣＡ検査をクリアした前記２つまたはそれ以上の無認可スペクトルコンポーネントキャリアのうちの１つまたは複数上で前記ＨＡＲＱプロセス応答情報を送信することと
を含む、Ｃ２０に記載の方法。
［Ｃ２３］
前記検出することの間に前記２つまたはそれ以上の無認可スペクトルコンポーネントキャリア上で受信されたデータをソフト合成することによって前記アップリンクデータを識別すること
をさらに含む、Ｃ２０に記載の方法。
［Ｃ２４］
ワイヤレス通信のために構成された装置であって、
基地局が、共通ハイブリッド自動再送要求（ＨＡＲＱ）プロセス空間を共有するために、前記基地局による通信のために割り当てられた複数のコンポーネントキャリアのうちの２つまたはそれ以上の無認可スペクトルコンポーネントキャリアをグループ化するための手段と、
前記基地局が、前記２つまたはそれ以上の無認可スペクトルコンポーネントキャリアの各々のクリアチャネルアクセス（ＣＣＡ）検査を実行するための手段と、
前記基地局が、前記ＣＣＡ検査をクリアした前記２つまたはそれ以上の無認可スペクトルコンポーネントキャリアのうちの１つまたは複数上でダウンリンクデータを送信するための手段と、
送信するための前記手段に応答して、前記基地局が、前記共通ＨＡＲＱプロセス空間に関連するＨＡＲＱプロセス応答情報を受信するための手段と
を備える、装置。
［Ｃ２５］
前記ＨＡＲＱプロセス応答情報が、前記ダウンリンクデータが送信された前記２つまたはそれ以上の無認可スペクトルコンポーネントキャリアのうちの前記１つまたは複数上で受信される、Ｃ２４に記載の装置。
［Ｃ２６］
前記基地局が、前記ＨＡＲＱプロセス応答情報への応答を生成するための手段と、
前記基地局が、前記２つまたはそれ以上の無認可スペクトルコンポーネントキャリアを使用して前記応答を送信するための手段と
をさらに含む、Ｃ２４に記載の装置。
［Ｃ２７］
前記応答が、前記ダウンリンクデータの再送信または新しいダウンリンクデータの新しい送信のうちの１つを含む、Ｃ２６に記載の装置。
［Ｃ２８］
前記応答を送信するための前記手段は、
前記基地局が、前記２つまたはそれ以上の無認可スペクトルコンポーネントキャリアの各々の後続のＣＣＡ検査を実行するための手段と、
前記基地局が、前記後続のＣＣＡ検査をクリアした前記２つまたはそれ以上の無認可スペクトルコンポーネントキャリアのうちの１つまたは複数を使用して前記応答を送信するための手段と
を含む、Ｃ２６に記載の装置。
［Ｃ２９］
前記基地局が、前記基地局によってサービスされる１つまたは複数のユーザ機器（ＵＥ）にＨＡＲＱプロセス構成を送信するための手段をさらに含み、ここにおいて、前記ＨＡＲＱプロセス構成は、少なくとも、前記２つまたはそれ以上の無認可スペクトルコンポーネントキャリアの識別情報と、前記１つまたは複数のＵＥが前記ダウンリンクデータを受信するために前記２つまたはそれ以上の無認可スペクトルコンポーネントキャリアにアクセスするための優先度シーケンスとを含む、
Ｃ２４に記載の装置。
［Ｃ３０］
全ＨＡＲＱプロセス空間を、前記複数のコンポーネントキャリアの各々のためのプライベートＨＡＲＱプロセス空間と、前記２つまたはそれ以上の無認可スペクトルコンポーネントキャリアによって共有される前記共通ＨＡＲＱプロセス空間とに分割するための手段
をさらに含む、Ｃ２４に記載の装置。
［Ｃ３１］
前記共通ＨＡＲＱプロセス空間が複数の共通ＨＡＲＱプロセス空間を含み、ここにおいて、前記複数のコンポーネントキャリアの各々が前記複数の共通ＨＡＲＱプロセス空間のうちの１つまたは複数に割り当てられる、Ｃ３０に記載の装置。
［Ｃ３２］
ワイヤレス通信のために構成された装置であって、
ユーザ機器（ＵＥ）においてサービング基地局から、共通ハイブリッド自動再送要求（ＨＡＲＱ）プロセス空間を共有するためにグループ化された、前記サービング基地局との通信のために割り当てられた複数のコンポーネントキャリアのうちの２つまたはそれ以上の無認可スペクトルコンポーネントキャリアの識別情報を受信するための手段と、
前記ＵＥが、前記識別情報の前記２つまたはそれ以上の無認可スペクトルコンポーネントキャリアのうちの少なくとも１つ上でダウンリンクデータの受信を検出するための手段と、
検出するための前記手段に応答して、前記ＵＥが前記サービング基地局に、前記２つまたはそれ以上の無認可スペクトルコンポーネントキャリアのうちの少なくとも１つを使用して、前記共通ＨＡＲＱプロセス空間に関連するＨＡＲＱプロセス応答情報を送信するための手段と
を備える、装置。
［Ｃ３３］
前記ＨＡＲＱプロセス応答情報が、前記ダウンリンクデータの受信についての肯定応答、または前記ダウンリンクデータの失敗した受信についての否定応答のうちの１つを含む、Ｃ３２に記載の装置。
［Ｃ３４］
送信するための前記手段は、
前記ＵＥが、前記２つまたはそれ以上の無認可スペクトルコンポーネントキャリアの各々のクリアチャネルアクセス（ＣＣＡ）検査を実行するための手段と、
前記ＵＥが、前記ＣＣＡ検査をクリアした前記２つまたはそれ以上の無認可スペクトルコンポーネントキャリアのうちの１つまたは複数上で前記ＨＡＲＱプロセス応答情報を送信するための手段と
を含む、Ｃ３２に記載の装置。
［Ｃ３５］
前記ＵＥにおいて前記サービング基地局から、前記ＵＥが前記ダウンリンクデータの受信を検出するために前記２つまたはそれ以上の無認可スペクトルコンポーネントキャリアにアクセスするための優先度シーケンスを受信するための手段をさらに含み、ここにおいて、受信を検出するための前記手段が、前記ダウンリンクデータを検出するために前記優先度シーケンスに従って前記２つまたはそれ以上の無認可スペクトルコンポーネントキャリアのうちの前記少なくとも１つにアクセスするための手段を含む、
Ｃ３２に記載の装置。
［Ｃ３６］
検出するための前記手段の実行中に前記２つまたはそれ以上の無認可スペクトルコンポーネントキャリア上で受信されたデータをソフト合成することによって前記ダウンリンクデータを識別するための手段
をさらに含む、Ｃ３２に記載の装置。
［Ｃ３７］
ワイヤレス通信のために構成された装置であって、
ユーザ機器（ＵＥ）においてサービング基地局から、共通ハイブリッド自動再送要求（ＨＡＲＱ）プロセス空間を共有するためにグループ化された、前記サービング基地局との通信のために割り当てられた複数のコンポーネントキャリアのうちの２つまたはそれ以上の無認可スペクトルコンポーネントキャリアの識別情報を受信するための手段と、
前記ＵＥが、前記２つまたはそれ以上の無認可スペクトルコンポーネントキャリアの各々のクリアチャネルアクセス（ＣＣＡ）検査を実行するための手段と、
前記ＵＥが、前記ＣＣＡ検査をクリアした前記２つまたはそれ以上の無認可スペクトルコンポーネントキャリアのうちの１つまたは複数上でアップリンクデータを送信するための手段と、
送信するための前記手段に応答して、前記ＵＥが、前記共通ＨＡＲＱプロセス空間に関連するＨＡＲＱプロセス応答情報を受信するための手段と
を備える、装置。
［Ｃ３８］
前記ＨＡＲＱプロセス応答情報が、前記アップリンクデータが送信された前記２つまたはそれ以上の無認可スペクトルコンポーネントキャリアのうちの前記１つまたは複数上で受信される、Ｃ３７に記載の装置。
［Ｃ３９］
前記ＵＥが、前記ＨＡＲＱプロセス応答情報への応答を生成するための手段と、
前記ＵＥが前記サービング基地局に、前記２つまたはそれ以上の無認可スペクトルコンポーネントキャリアを使用して前記応答を送信するための手段と
をさらに含む、Ｃ３７に記載の装置。
［Ｃ４０］
前記応答が、前記アップリンクデータの再送信または新しいアップリンクデータの新しい送信のうちの１つを含む、Ｃ３９に記載の装置。
［Ｃ４１］
前記応答が肯定応答情報とチャネル品質情報とを含む、Ｃ３９に記載の装置。
［Ｃ４２］
前記応答を送信するための前記手段は、
前記ＵＥが、前記２つまたはそれ以上の無認可スペクトルコンポーネントキャリアの各々の後続のＣＣＡ検査を実行するための手段と、
前記ＵＥが、前記後続のＣＣＡ検査をクリアした前記２つまたはそれ以上の無認可スペクトルコンポーネントキャリアのうちの１つまたは複数を使用して前記応答を送信するための手段と
を含む、Ｃ３９に記載の装置。
［Ｃ４３］
ワイヤレス通信のために構成された装置であって、
基地局が、共通ハイブリッド自動再送要求（ＨＡＲＱ）プロセス空間を共有するために、前記基地局による通信のために割り当てられた複数のコンポーネントキャリアのうちの２つまたはそれ以上の無認可スペクトルコンポーネントキャリアをグループ化するための手段と、
前記基地局が、前記２つまたはそれ以上の無認可スペクトルコンポーネントキャリアのうちの少なくとも１つ上でユーザ機器（ＵＥ）からのアップリンクデータの受信を検出するための手段と、
検出するための前記手段に応答して、前記基地局が前記ＵＥに、前記共通ＨＡＲＱプロセス空間に関連するＨＡＲＱプロセス応答情報を送信するための手段と、ここにおいて、前記ＨＡＲＱプロセス応答情報は、前記アップリンクデータ受信がそれの上で検出された前記２つまたはそれ以上の無認可スペクトルコンポーネントキャリアのうちの少なくとも１つを使用して送信される、
を備える、装置。
［Ｃ４４］
前記ＨＡＲＱプロセス応答情報が、前記アップリンクデータの受信についての肯定応答、または前記アップリンクデータの失敗した受信についての否定応答のうちの１つを含む、Ｃ４３に記載の装置。
［Ｃ４５］
前記ＨＡＲＱプロセス応答情報を送信するための前記手段は、
前記基地局が、前記２つまたはそれ以上の無認可スペクトルコンポーネントキャリアの各々のクリアチャネルアクセス（ＣＣＡ）検査を実行するための手段と、
前記基地局が、前記ＣＣＡ検査をクリアした前記２つまたはそれ以上の無認可スペクトルコンポーネントキャリアのうちの１つまたは複数上で前記ＨＡＲＱプロセス応答情報を送信するための手段と
を含む、Ｃ４３に記載の装置。
［Ｃ４６］
検出するための前記手段の実行中に前記２つまたはそれ以上の無認可スペクトルコンポーネントキャリア上で受信されたデータをソフト合成することによって前記アップリンクデータを識別するための手段
をさらに含む、Ｃ４３に記載の装置。
［Ｃ４７］
プログラムコードを記録した非一時的コンピュータ可読媒体であって、
基地局が、共通ハイブリッド自動再送要求（ＨＡＲＱ）プロセス空間を共有するために、前記基地局による通信のために割り当てられた複数のコンポーネントキャリアのうちの２つまたはそれ以上の無認可スペクトルコンポーネントキャリアをグループ化することをコンピュータに行わせるためのプログラムコードと、
前記基地局が、前記２つまたはそれ以上の無認可スペクトルコンポーネントキャリアの各々のクリアチャネルアクセス（ＣＣＡ）検査を実行することを前記コンピュータに行わせるためのプログラムコードと、
前記基地局が、前記ＣＣＡ検査をクリアした前記２つまたはそれ以上の無認可スペクトルコンポーネントキャリアのうちの１つまたは複数上でダウンリンクデータを送信することを前記コンピュータに行わせるためのプログラムコードと、
送信することを前記コンピュータに行わせるための前記プログラムコードの実行に応答して、前記基地局が、前記共通ＨＡＲＱプロセス空間に関連するＨＡＲＱプロセス応答情報を受信することを前記コンピュータに行わせるためのプログラムコードと
を備える、非一時的コンピュータ可読媒体。
［Ｃ４８］
前記ＨＡＲＱプロセス応答情報が、前記ダウンリンクデータが送信された前記２つまたはそれ以上の無認可スペクトルコンポーネントキャリアのうちの前記１つまたは複数上で受信される、Ｃ４７に記載の非一時的コンピュータ可読媒体。
［Ｃ４９］
前記基地局が、前記ＨＡＲＱプロセス応答情報への応答を生成することと、
前記基地局が、前記２つまたはそれ以上の無認可スペクトルコンポーネントキャリアを使用して前記応答を送信することと
を前記コンピュータに行わせるためのプログラムコードをさらに含む、Ｃ４７に記載の非一時的コンピュータ可読媒体。
［Ｃ５０］
前記応答が、前記ダウンリンクデータの再送信または新しいダウンリンクデータの新しい送信のうちの１つを含む、Ｃ４９に記載の非一時的コンピュータ可読媒体。
［Ｃ５１］
送信することを前記コンピュータに行わせるための前記プログラムコードは、
前記基地局が、前記２つまたはそれ以上の無認可スペクトルコンポーネントキャリアの各々の後続のＣＣＡ検査を実行することと、
前記基地局が、前記後続のＣＣＡ検査をクリアした前記２つまたはそれ以上の無認可スペクトルコンポーネントキャリアのうちの１つまたは複数を使用して前記応答を送信することと
を前記コンピュータに行わせるためのプログラムコードを含む、Ｃ４９に記載の非一時的コンピュータ可読媒体。
［Ｃ５２］
前記基地局が、前記基地局によってサービスされる１つまたは複数のユーザ機器（ＵＥ）にＨＡＲＱプロセス構成を送信することを前記コンピュータに行わせるためのプログラムコードをさらに含み、ここにおいて、前記ＨＡＲＱプロセス構成は、少なくとも、前記２つまたはそれ以上の無認可スペクトルコンポーネントキャリアの識別情報と、前記１つまたは複数のＵＥが前記ダウンリンクデータを受信するために前記２つまたはそれ以上の無認可スペクトルコンポーネントキャリアにアクセスするための優先度シーケンスとを含む、
Ｃ４７に記載の非一時的コンピュータ可読媒体。
［Ｃ５３］
全ＨＡＲＱプロセス空間を、前記複数のコンポーネントキャリアの各々のためのプライベートＨＡＲＱプロセス空間と、前記２つまたはそれ以上の無認可スペクトルコンポーネントキャリアによって共有される前記共通ＨＡＲＱプロセス空間とに分割すること
を前記コンピュータに行わせるためのプログラムコードをさらに含む、Ｃ４７に記載の非一時的コンピュータ可読媒体。
［Ｃ５４］
前記共通ＨＡＲＱプロセス空間が複数の共通ＨＡＲＱプロセス空間を含み、ここにおいて、前記複数のコンポーネントキャリアの各々が前記複数の共通ＨＡＲＱプロセス空間のうちの１つまたは複数に割り当てられる、Ｃ５３に記載の非一時的コンピュータ可読媒体。
［Ｃ５５］
プログラムコードを記録した非一時的コンピュータ可読媒体であって、
ユーザ機器（ＵＥ）においてサービング基地局から、共通ハイブリッド自動再送要求（ＨＡＲＱ）プロセス空間を共有するためにグループ化された、前記サービング基地局との通信のために割り当てられた複数のコンポーネントキャリアのうちの２つまたはそれ以上の無認可スペクトルコンポーネントキャリアの識別情報を受信することをコンピュータに行わせるためのプログラムコードと、
前記ＵＥが、前記識別情報の前記２つまたはそれ以上の無認可スペクトルコンポーネントキャリアのうちの少なくとも１つ上でダウンリンクデータの受信を検出することを前記コンピュータに行わせるためのプログラムコードと、
検出することを前記コンピュータに行わせるための前記プログラムコードの実行に応答して、前記ＵＥが前記サービング基地局に、前記２つまたはそれ以上の無認可スペクトルコンポーネントキャリアのうちの少なくとも１つを使用して、前記共通ＨＡＲＱプロセス空間に関連するＨＡＲＱプロセス応答情報を送信することを前記コンピュータに行わせるためのプログラムコードと
を備える、非一時的コンピュータ可読媒体。
［Ｃ５６］
前記ＨＡＲＱプロセス応答情報が、前記ダウンリンクデータの受信についての肯定応答、または前記ダウンリンクデータの失敗した受信についての否定応答のうちの１つを含む、Ｃ５５に記載の非一時的コンピュータ可読媒体。
［Ｃ５７］
送信することを前記コンピュータに行わせるための前記プログラムコードは、
前記ＵＥが、前記２つまたはそれ以上の無認可スペクトルコンポーネントキャリアの各々のクリアチャネルアクセス（ＣＣＡ）検査を実行することと、
前記ＵＥが、前記ＣＣＡ検査をクリアした前記２つまたはそれ以上の無認可スペクトルコンポーネントキャリアのうちの１つまたは複数上で前記ＨＡＲＱプロセス応答情報を送信することと
を前記コンピュータに行わせるためのプログラムコードを含む、Ｃ５５に記載の非一時的コンピュータ可読媒体。
［Ｃ５８］
前記ＵＥにおいて前記サービング基地局から、前記ＵＥが前記ダウンリンクデータの受信を検出するために前記２つまたはそれ以上の無認可スペクトルコンポーネントキャリアにアクセスするための優先度シーケンスを受信することを前記コンピュータに行わせるためのプログラムコードをさらに含み、ここにおいて、受信を検出することを前記コンピュータに行わせるための前記プログラムコードが、前記ダウンリンクデータを検出するために前記優先度シーケンスに従って前記２つまたはそれ以上の無認可スペクトルコンポーネントキャリアのうちの前記少なくとも１つにアクセスすることを前記コンピュータに行わせるためのプログラムコードを含む、
Ｃ５５に記載の非一時的コンピュータ可読媒体。
［Ｃ５９］
検出することを前記コンピュータに行わせるための前記プログラムコードの実行中に前記２つまたはそれ以上の無認可スペクトルコンポーネントキャリア上で受信されたデータをソフト合成することによって前記ダウンリンクデータを識別すること
を前記コンピュータに行わせるためのプログラムコードをさらに含む、Ｃ５５に記載の非一時的コンピュータ可読媒体。
［Ｃ６０］
プログラムコードを記録した非一時的コンピュータ可読媒体であって、
ユーザ機器（ＵＥ）においてサービング基地局から、共通ハイブリッド自動再送要求（ＨＡＲＱ）プロセス空間を共有するためにグループ化された、前記サービング基地局との通信のために割り当てられた複数のコンポーネントキャリアのうちの２つまたはそれ以上の無認可スペクトルコンポーネントキャリアの識別情報を受信することをコンピュータに行わせるためのプログラムコードと、
前記ＵＥが、前記２つまたはそれ以上の無認可スペクトルコンポーネントキャリアの各々のクリアチャネルアクセス（ＣＣＡ）検査を実行することを前記コンピュータに行わせるためのプログラムコードと、
前記ＵＥが、前記ＣＣＡ検査をクリアした前記２つまたはそれ以上の無認可スペクトルコンポーネントキャリアのうちの１つまたは複数上でアップリンクデータを送信することを前記コンピュータに行わせるためのプログラムコードと、
送信することを前記コンピュータに行わせるための前記プログラムコードの実行に応答して、前記ＵＥが、前記共通ＨＡＲＱプロセス空間に関連するＨＡＲＱプロセス応答情報を受信することを前記コンピュータに行わせるためのプログラムコードと
を備える、非一時的コンピュータ可読媒体。
［Ｃ６１］
前記ＨＡＲＱプロセス応答情報が、前記アップリンクデータが送信された前記２つまたはそれ以上の無認可スペクトルコンポーネントキャリアのうちの前記１つまたは複数上で受信される、Ｃ６０に記載の非一時的コンピュータ可読媒体。
［Ｃ６２］
前記ＵＥが、前記ＨＡＲＱプロセス応答情報への応答を生成することと、
前記ＵＥが前記サービング基地局に、前記２つまたはそれ以上の無認可スペクトルコンポーネントキャリアを使用して前記応答を送信することと
を前記コンピュータに行わせるためのプログラムコードをさらに含む、Ｃ６０に記載の非一時的コンピュータ可読媒体。
［Ｃ６３］
前記応答が、前記アップリンクデータの再送信または新しいアップリンクデータの新しい送信のうちの１つを含む、Ｃ６２に記載の非一時的コンピュータ可読媒体。
［Ｃ６４］
前記応答が肯定応答情報とチャネル品質情報とを含む、Ｃ６２に記載の非一時的コンピュータ可読媒体。
［Ｃ６５］
前記応答を送信することを前記コンピュータに行わせるための前記プログラムコードは、
前記ＵＥが、前記２つまたはそれ以上の無認可スペクトルコンポーネントキャリアの各々の後続のＣＣＡ検査を実行することと、
前記ＵＥが、前記後続のＣＣＡ検査をクリアした前記２つまたはそれ以上の無認可スペクトルコンポーネントキャリアのうちの１つまたは複数を使用して前記応答を送信することと
を前記コンピュータに行わせるためのプログラムコードを含む、Ｃ６２に記載の非一時的コンピュータ可読媒体。
［Ｃ６６］
プログラムコードを記録した非一時的コンピュータ可読媒体であって、
基地局が、共通ハイブリッド自動再送要求（ＨＡＲＱ）プロセス空間を共有するために、前記基地局による通信のために割り当てられた複数のコンポーネントキャリアのうちの２つまたはそれ以上の無認可スペクトルコンポーネントキャリアをグループ化することをコンピュータに行わせるためのプログラムコードと、
前記基地局が、前記２つまたはそれ以上の無認可スペクトルコンポーネントキャリアのうちの少なくとも１つ上でユーザ機器（ＵＥ）からのアップリンクデータの受信を検出することを前記コンピュータに行わせるためのプログラムコードと、
検出することを前記コンピュータに行わせるための前記プログラムコードの実行に応答して、前記基地局が前記ＵＥに、前記共通ＨＡＲＱプロセス空間に関連するＨＡＲＱプロセス応答情報を送信することを前記コンピュータに行わせるためのプログラムコードと、ここにおいて、前記ＨＡＲＱプロセス応答情報は、前記アップリンクデータ受信がそれの上で検出された前記２つまたはそれ以上の無認可スペクトルコンポーネントキャリアのうちの少なくとも１つを使用して送信される、
を備える、非一時的コンピュータ可読媒体。
［Ｃ６７］
前記ＨＡＲＱプロセス応答情報が、前記アップリンクデータの受信についての肯定応答、または前記アップリンクデータの失敗した受信についての否定応答のうちの１つを含む、Ｃ６６に記載の非一時的コンピュータ可読媒体。
［Ｃ６８］
前記ＨＡＲＱプロセス応答情報を送信することを前記コンピュータに行わせるための前記プログラムコードは、
前記基地局が、前記２つまたはそれ以上の無認可スペクトルコンポーネントキャリアの各々のクリアチャネルアクセス（ＣＣＡ）検査を実行することと、
前記基地局が、前記ＣＣＡ検査をクリアした前記２つまたはそれ以上の無認可スペクトルコンポーネントキャリアのうちの１つまたは複数上で前記ＨＡＲＱプロセス応答情報を送信することと
を前記コンピュータに行わせるためのプログラムコードを含む、Ｃ６６に記載の非一時的コンピュータ可読媒体。
［Ｃ６９］
前記検出することの間に前記２つまたはそれ以上の無認可スペクトルコンポーネントキャリア上で受信されたデータをソフト合成することによって前記アップリンクデータを識別すること
を前記コンピュータに行わせるためのプログラムコードをさらに含む、Ｃ６６に記載の非一時的コンピュータ可読媒体。
［Ｃ７０］
ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサは、
基地局が、共通ハイブリッド自動再送要求（ＨＡＲＱ）プロセス空間を共有するために、前記基地局による通信のために割り当てられた複数のコンポーネントキャリアのうちの２つまたはそれ以上の無認可スペクトルコンポーネントキャリアをグループ化することと、
前記基地局が、前記２つまたはそれ以上の無認可スペクトルコンポーネントキャリアの各々のクリアチャネルアクセス（ＣＣＡ）検査を実行することと、
前記基地局が、前記ＣＣＡ検査をクリアした前記２つまたはそれ以上の無認可スペクトルコンポーネントキャリアのうちの１つまたは複数上でダウンリンクデータを送信することと、
送信するための前記少なくとも１つのプロセッサの構成の実行に応答して、前記基地局が、前記共通ＨＡＲＱプロセス空間に関連するＨＡＲＱプロセス応答情報を受信することと
を行うように構成された、装置。
［Ｃ７１］
前記ＨＡＲＱプロセス応答情報が、前記ダウンリンクデータが送信された前記２つまたはそれ以上の無認可スペクトルコンポーネントキャリアのうちの前記１つまたは複数上で受信される、Ｃ７０に記載の装置。
［Ｃ７２］
前記基地局が、前記ＨＡＲＱプロセス応答情報への応答を生成することと、
前記基地局が、前記２つまたはそれ以上の無認可スペクトルコンポーネントキャリアを使用して前記応答を送信することと
を行うための前記少なくとも１つのプロセッサの構成をさらに含む、Ｃ７０に記載の装置。
［Ｃ７３］
前記応答が、前記ダウンリンクデータの再送信または新しいダウンリンクデータの新しい送信のうちの１つを含む、Ｃ７２に記載の装置。
［Ｃ７４］
送信するための前記少なくとも１つのプロセッサの前記構成は、
前記基地局が、前記２つまたはそれ以上の無認可スペクトルコンポーネントキャリアの各々の後続のＣＣＡ検査を実行することと、
前記基地局が、前記後続のＣＣＡ検査をクリアした前記２つまたはそれ以上の無認可スペクトルコンポーネントキャリアのうちの１つまたは複数を使用して前記応答を送信することと
を行うための前記少なくとも１つのプロセッサの構成を含む、Ｃ７２に記載の装置。
［Ｃ７５］
前記基地局が、前記基地局によってサービスされる１つまたは複数のユーザ機器（ＵＥ）にＨＡＲＱプロセス構成を送信するための前記少なくとも１つのプロセッサの構成をさらに含み、ここにおいて、前記ＨＡＲＱプロセス構成は、少なくとも、前記２つまたはそれ以上の無認可スペクトルコンポーネントキャリアの識別情報と、前記１つまたは複数のＵＥが前記ダウンリンクデータを受信するために前記２つまたはそれ以上の無認可スペクトルコンポーネントキャリアにアクセスするための優先度シーケンスとを含む、
Ｃ７０に記載の装置。
［Ｃ７６］
全ＨＡＲＱプロセス空間を、前記複数のコンポーネントキャリアの各々のためのプライベートＨＡＲＱプロセス空間と、前記２つまたはそれ以上の無認可スペクトルコンポーネントキャリアによって共有される前記共通ＨＡＲＱプロセス空間とに分割すること
を行うための前記少なくとも１つのプロセッサの構成をさらに含む、Ｃ７０に記載の装置。
［Ｃ７７］
前記共通ＨＡＲＱプロセス空間が複数の共通ＨＡＲＱプロセス空間を含み、ここにおいて、前記複数のコンポーネントキャリアの各々が前記複数の共通ＨＡＲＱプロセス空間のうちの１つまたは複数に割り当てられる、Ｃ７６に記載の装置。
［Ｃ７８］
ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサは、
ユーザ機器（ＵＥ）においてサービング基地局から、共通ハイブリッド自動再送要求（ＨＡＲＱ）プロセス空間を共有するためにグループ化された、前記サービング基地局との通信のために割り当てられた複数のコンポーネントキャリアのうちの２つまたはそれ以上の無認可スペクトルコンポーネントキャリアの識別情報を受信することと、
前記ＵＥが、前記識別情報の前記２つまたはそれ以上の無認可スペクトルコンポーネントキャリアのうちの少なくとも１つ上でダウンリンクデータの受信を検出することと、
検出するための前記少なくとも１つのプロセッサの前記構成の実行に応答して、前記ＵＥが前記サービング基地局に、前記２つまたはそれ以上の無認可スペクトルコンポーネントキャリアのうちの少なくとも１つを使用して、前記共通ＨＡＲＱプロセス空間に関連するＨＡＲＱプロセス応答情報を送信することと
を行うように構成された、装置。
［Ｃ７９］
前記ＨＡＲＱプロセス応答情報が、前記ダウンリンクデータの受信についての肯定応答、または前記ダウンリンクデータの失敗した受信についての否定応答のうちの１つを含む、Ｃ７８に記載の装置。
［Ｃ８０］
送信するための前記少なくとも１つのプロセッサの前記構成は、
前記ＵＥが、前記２つまたはそれ以上の無認可スペクトルコンポーネントキャリアの各々のクリアチャネルアクセス（ＣＣＡ）検査を実行することと、
前記ＵＥが、前記ＣＣＡ検査をクリアした前記２つまたはそれ以上の無認可スペクトルコンポーネントキャリアのうちの１つまたは複数上で前記ＨＡＲＱプロセス応答情報を送信することと
を行うための前記少なくとも１つのプロセッサの構成を含む、Ｃ７８に記載の装置。
［Ｃ８１］
前記ＵＥにおいて前記サービング基地局から、前記ＵＥが前記ダウンリンクデータの受信を検出するために前記２つまたはそれ以上の無認可スペクトルコンポーネントキャリアにアクセスするための優先度シーケンスを受信するための前記少なくとも１つのプロセッサの構成をさらに含み、ここにおいて、受信を検出するための前記少なくとも１つのプロセッサの前記構成が、前記ダウンリンクデータを検出するために前記優先度シーケンスに従って前記２つまたはそれ以上の無認可スペクトルコンポーネントキャリアのうちの前記少なくとも１つにアクセスするための前記少なくとも１つのプロセッサの構成を含む、
Ｃ７８に記載の装置。
［Ｃ８２］
検出するための前記少なくとも１つのプロセッサの前記構成の実行中に前記２つまたはそれ以上の無認可スペクトルコンポーネントキャリア上で受信されたデータをソフト合成することによって前記ダウンリンクデータを識別すること
を行うための前記少なくとも１つのプロセッサの構成をさらに含む、Ｃ７８に記載の装置。
［Ｃ８３］
ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサは、
ユーザ機器（ＵＥ）においてサービング基地局から、共通ハイブリッド自動再送要求（ＨＡＲＱ）プロセス空間を共有するためにグループ化された、前記サービング基地局との通信のために割り当てられた複数のコンポーネントキャリアのうちの２つまたはそれ以上の無認可スペクトルコンポーネントキャリアの識別情報を受信することと、
前記ＵＥが、前記２つまたはそれ以上の無認可スペクトルコンポーネントキャリアの各々のクリアチャネルアクセス（ＣＣＡ）検査を実行することと、
前記ＵＥが、前記ＣＣＡ検査をクリアした前記２つまたはそれ以上の無認可スペクトルコンポーネントキャリアのうちの１つまたは複数上でアップリンクデータを送信することと、
送信するための前記少なくとも１つのプロセッサの構成の実行に応答して、前記ＵＥが、前記共通ＨＡＲＱプロセス空間に関連するＨＡＲＱプロセス応答情報を受信することと
を行うように構成された、装置。
［Ｃ８４］
前記ＨＡＲＱプロセス応答情報が、前記アップリンクデータが送信された前記２つまたはそれ以上の無認可スペクトルコンポーネントキャリアのうちの前記１つまたは複数上で受信される、Ｃ８３に記載の装置。
［Ｃ８５］
前記ＵＥが、前記ＨＡＲＱプロセス応答情報への応答を生成することと、
前記ＵＥが前記サービング基地局に、前記２つまたはそれ以上の無認可スペクトルコンポーネントキャリアを使用して前記応答を送信することと
を行うための前記少なくとも１つのプロセッサの構成をさらに含む、Ｃ８３に記載の装置。
［Ｃ８６］
前記応答が、前記アップリンクデータの再送信または新しいアップリンクデータの新しい送信のうちの１つを含む、Ｃ８５に記載の装置。
［Ｃ８７］
前記応答が肯定応答情報とチャネル品質情報とを含む、Ｃ８５に記載の装置。
［Ｃ８８］
前記応答を送信するための前記少なくとも１つのプロセッサの前記構成は、
前記ＵＥが、前記２つまたはそれ以上の無認可スペクトルコンポーネントキャリアの各々の後続のＣＣＡ検査を実行することと、
前記ＵＥが、前記後続のＣＣＡ検査をクリアした前記２つまたはそれ以上の無認可スペクトルコンポーネントキャリアのうちの１つまたは複数を使用して前記応答を送信することと
を行うための前記少なくとも１つのプロセッサの構成を含む、Ｃ８５に記載の装置。
［Ｃ８９］
ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサは、
基地局が、共通ハイブリッド自動再送要求（ＨＡＲＱ）プロセス空間を共有するために、前記基地局による通信のために割り当てられた複数のコンポーネントキャリアのうちの２つまたはそれ以上の無認可スペクトルコンポーネントキャリアをグループ化することと、
前記基地局が、前記２つまたはそれ以上の無認可スペクトルコンポーネントキャリアのうちの少なくとも１つ上でユーザ機器（ＵＥ）からのアップリンクデータの受信を検出することと、
検出するための前記少なくとも１つのプロセッサの前記構成の実行に応答して、前記基地局が前記ＵＥに、前記共通ＨＡＲＱプロセス空間に関連するＨＡＲＱプロセス応答情報を送信することと、ここにおいて、前記ＨＡＲＱプロセス応答情報は、前記アップリンクデータ受信がそれの上で検出された前記２つまたはそれ以上の無認可スペクトルコンポーネントキャリアのうちの少なくとも１つを使用して送信される、
を行うように構成された、装置。
［Ｃ９０］
前記ＨＡＲＱプロセス応答情報が、前記アップリンクデータの受信についての肯定応答、または前記アップリンクデータの失敗した受信についての否定応答のうちの１つを含む、Ｃ８９に記載の装置。
［Ｃ９１］
前記ＨＡＲＱプロセス応答情報を送信するための前記少なくとも１つのプロセッサの前記構成は、
前記基地局が、前記２つまたはそれ以上の無認可スペクトルコンポーネントキャリアの各々のクリアチャネルアクセス（ＣＣＡ）検査を実行することと、
前記基地局が、前記ＣＣＡ検査をクリアした前記２つまたはそれ以上の無認可スペクトルコンポーネントキャリアのうちの１つまたは複数上で前記ＨＡＲＱプロセス応答情報を送信することと
を行うための前記少なくとも１つのプロセッサの構成を含む、Ｃ８９に記載の装置。
［Ｃ９２］
前記検出することの間に前記２つまたはそれ以上の無認可スペクトルコンポーネントキャリア上で受信されたデータをソフト合成することによって前記アップリンクデータを識別すること
を行うための前記少なくとも１つのプロセッサの構成をさらに含む、Ｃ８９に記載の装置。